(57)【要約】【課題】緊急時においても所定の条件で適切に写真撮影を行うことが可能な撮影装置を提供する。【解決手段】本発明の撮影装置（１，２１）は第１撮影条件を設定する設定部（８）と、前記第１撮影条件により撮影動作を起動する第１操作部（１０）と、前記第１操作部（１０）とは別に設けられた第２操作部（１３）と、前記第２操作部（１３）が操作されたときは、前記設定部（８）に設定された前記第１撮影条件とは異なる第２撮影条件による撮影を行う制御部（１５）と、を有することを特徴とする【選択図】図１
2009162866.tif 000002
【特許請求の範囲】
【請求項１】
第１撮影条件を設定する設定部と、
前記第１撮影条件により撮影動作を起動する第１操作部と、
前記第１操作部とは別に設けられた第２操作部と、
前記第２操作部が操作されたときは、前記設定部に設定された前記第１撮影条件とは異なる第２撮影条件による撮影を行う制御部と、を有することを特徴とする撮影装置。
【請求項２】
請求項１に記載の撮影装置であって、
前記設定部は、前記第１撮影条件として、撮影に関する２以上の条件を設定し、
前記制御部は、前記第２操作部が操作されたとき、前記第１撮影条件の少なくとも１つの条件とは異なる前記第２撮影条件による撮影を行うことを特徴とする撮影装置。
【請求項３】
請求項１又は２に記載の撮影装置であって、
前記第１撮影条件を記憶するための領域と前記第２撮影条件を記憶するための領域とを有する記憶部を備えることを特徴とする撮影装置。
【請求項４】
請求項１〜３のいずれか１項に記載の撮影装置であって、
前記第２撮影条件で撮影された撮影画像を自動送信する送信部を備えることを特徴とする撮影装置。
【請求項５】
請求項４に記載の撮影装置であって、
前記第２撮影条件で撮影された画像は、第１サイズで記録部に記録されると共に該第１サイズよりも小さい第２サイズで前記送信部より自動送信されることを特徴とする撮影装置。
【請求項６】
請求項４又は５に記載の撮影装置であって、
前記撮影画像は、前記送信部により自動送信された後、記録部から消去されることを特徴とする撮影装置。
【請求項７】
請求項１〜６のいずれか１項に記載の撮影装置であって、
前記第２操作部を覆うカバーを備えることを特徴とする撮影装置。
【請求項８】
請求項１〜７のいずれか１項に記載の撮影装置であって、
前記第２操作部は、ストラップを前記撮影装置に固定する固定具の一部であることを特徴とする撮影装置。
【発明の詳細な説明】
【技術分野】
【０００１】
本発明は、被写体像を撮影する撮影装置に関するものである。
【背景技術】
【０００２】
従来、例えばカメラ等の撮影装置として、複数の撮影モードを有するものがある。このような撮影装置においては、操作部材を移動させることによりいずれかの撮影モードで撮影するかを選択することができる（例えば、特許文献１参照）。
【特許文献１】特開２００１−２１５５４５号公報
【発明の開示】
【発明が解決しようとする課題】
【０００３】
しかし、例えば緊急時において、直ちに撮影が必要な場合、適切な撮影モードを選択していたのでは速写性を損なう場合がある。このため、不適切な条件で撮影されて役立つ写真を撮ることができない場合がある。
【０００４】
本発明の課題は、緊急時においても所定の条件で適切に写真撮影を行うことである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、第１撮影条件を設定する設定部（８）と、前記第１撮影条件により撮影動作を起動する第１操作部（１０）と、前記第１操作部（１０）とは別に設けられた第２操作部（１３）と、前記第２操作部（１３）が操作されたときは、前記設定部（８）に設定された前記第１撮影条件とは異なる第２撮影条件による撮影を行う制御部（１５）と、を有することを特徴とする撮影装置（１，２１）である。
請求項２に記載の発明は、請求項１に記載の撮影装置（１，２１）であって、前記設定部（８）は、前記第１撮影条件として、撮影に関する２以上の条件を設定し、前記制御部（１５）は、前記第２操作部（１３）が操作されたとき、前記第１撮影条件の少なくとも１つの条件とは異なる前記第２撮影条件による撮影を行うことを特徴とする撮影装置（１，２１）である。
請求項３に記載の発明は、請求項１又は２に記載の撮影装置（１，２１）であって、前記第１撮影条件を記憶するための領域（１６ａ）と前記第２撮影条件を記憶するための領域（１６ｂ）とを有する記憶部（１６）を備えることを特徴とする撮影装置（１，２１）である。
請求項４に記載の発明は、請求項１〜３のいずれか１項に記載の撮影装置（１，２１）であって、前記第２撮影条件で撮影された撮影画像を自動送信する送信部（１９）を備えることを特徴とする撮影装置（１，２１）である。
請求項５に記載の発明は、請求項４に記載の撮影装置（１，２１）であって、前記第２撮影条件で撮影された画像は、第１サイズで記録部（１８）に記録されると共に該第１サイズよりも小さい第２サイズで前記送信部（１９）より自動送信されることを特徴とする撮影装置（１，２１）である。
請求項６に記載の発明は、請求項４又は５に記載の撮影装置（１，２１）であって、前記撮影画像は、前記送信部（１９）により自動送信された後、記録部（１８）から消去されることを特徴とする撮影装置（１，２１）である。
請求項７に記載の発明は、請求項１〜６のいずれか１項に記載の撮影装置（１）であって、前記第２操作部（１３）を覆うカバー（１３ａ）を備えることを特徴とする撮影装置（１）である。
請求項８に記載の発明は、請求項１〜７のいずれか１項に記載の撮影装置（２１）であって、前記第２操作部（３３）は、ストラップ（３２）を前記撮影装置（１，２１）に固定する固定具の一部であることを特徴とする撮影装置（２１）である。
【０００７】
なお、符号を付して説明した構成は、適宜改良してもよく、また、少なくとも一部を他の構成物に代替してもよい。
【発明の効果】
【０００８】
本発明によれば、緊急時においても所定の条件で適切に写真撮影を行うことができる。
【発明を実施するための最良の形態】
【０００９】
（第１実施形態）
以下、図面等を参照して、本発明の第１実施形態について説明する。本実施形態の撮影装置は、レンズ非交換式の、いわゆるデジタルのコンパクトカメラ１（以下、カメラ）であるが、本発明はこれに限定されず、フィルム式のカメラであってもよく、またレンズ交換式のカメラであってもよい。図１はカメラ１を前面側（被写体側）から見た概略斜視図であり、図２はカメラ１を背面側（撮影者側）から見た概略斜視図である。
【００１０】
カメラ１は、カメラ本体２を備える。図１に示すように、カメラ本体２の前面には、内部に撮影レンズを備える沈胴式のレンズ鏡筒３と、ストロボ発光部４とが設けられている。カメラ本体２の側面には、メモリカードを挿入及び取り出すためのメモリカード挿入口５が形成されている。
【００１１】
図２に示すように、カメラ本体２の後面には、ＬＣＤ（ｌｉｑｕｉｄ  ｃｒｙｓｔａｌ  ｄｉｓｐｌａｙ）等の表示部７、及び、表示部７に表示された、シャッター速度や絞り等の撮影条件等を選択することにより各種設定を行う設定部８が設けられている。
【００１２】
図１及び図２に示すように、カメラ本体２の上面には電源スイッチ６が設けられている。その電源スイッチ６の隣接部位には、通常撮影ボタン１０が配置され、通常撮影ボタン１０の外側の隣接部位には、緊急撮影ボタン１１が配置されている。なお、この緊急撮影ボタン１１は、カメラ本体２の上面以外の側面又は前面に配置してもよい。
【００１３】
通常撮影ボタン１０は、人物、風景等を通常時に撮影する際に押下操作されるものであり、その操作によって通常撮影条件での被写体の撮影が行われる。緊急撮影ボタン１１は、通常時に撮影する際に押下操作されるものであり、押下操作することによって、緊急撮影条件で被写体の撮影が行われる。例えば、犯罪現場、事故現場や火災現場等に遭遇した場合に、その状況を緊急に撮影するために緊急撮影ボタン１１が操作される。この緊急撮影条件での撮影は通常撮影よりも優先される。このため、緊急撮影ボタン１１を操作したときには、緊急撮影条件を通常撮影条件よりも優先するように設定されており、通常撮影条件が設定されていても、通常撮影条件にかかわらず緊急撮影条件に基づいた撮影が行われる。
【００１４】
また、通常時には通常撮影ボタン１０に対する操作がなされ、緊急撮影ボタン１１は緊急時にだけ操作されることから、通常時における緊急撮影ボタン１１への操作を防止する必要がある。このため、緊急撮影ボタン１１はカバー１３ａによって覆われ、撮影者が不用意に緊急撮影ボタン１１を押下しないようになっている。カバー１３ａは破断容易性のプラスチックによって形成されており、通常よりも幾分、強い力を加えることにより容易に破断し、この破断に続いて緊急撮影ボタン１１への押下が可能となる。なお、カバー１３ａはカメラ本体２から取り外し可能な構造としてもよく、この場合、緊急時にカバー１３ａを取り外して緊急撮影ボタン１１を露出させることによりその押下が可能となる。
【００１５】
図３はカメラ１の構成を示すブロック図である。カメラ１は、内部にＣＰＵ１５を備える。ＣＰＵ１５は、通常撮影、緊急撮影、画像データの送信等のカメラ１全体の制御を行う。ＣＰＵ１５には、上述の設定部８、撮影手段１７，記録手段１８，通信手段１９が接続され、また、ＣＰＵ１５は各種設定内容を記憶する記憶部１６を備える。
【００１６】
撮影手段１７は撮影レンズを通過した被写体を画像に変換するものであり、ＣＣＤ（ｃｈａｒｇｅ−ｃｏｕｐｌｅｄ  ｄｅｖｉｃｅ  ｍｅｍｏｒｙ）等を備える。記録手段１８は撮影された画像を記録するものであり、メモリカード挿入口５（図１参照）から挿入された外部のメモリカードやカメラ本体２自体が備える画像記録メモリを有している。なお、この記録手段１８には、緊急撮影ボタン１１の押下によって緊急撮影された画像も一時的に記録される。
【００１７】
通信手段１９は、緊急撮影ボタン１１の押下によって、緊急撮影された画像データを、外部に送信するものである。この送信先の外部は、設定部８より予め設定可能であり、例えば、カメラ１が使用される場所における予想される非常事態に対応して、警察署、消防署、警備会社の本部等が考えられる。また、記録手段１８に記録された緊急撮影時の画像データは、記録手段１８に記録されると共に、ＣＰＵ１５において画像データのサイズが小さくなるように圧縮されて通信手段１９に送られ、通信手段１９はこの圧縮された画像データを送信する。
【００１８】
ＣＰＵ１５に設けられた記憶部１６は、第１メモリ領域１６ａ，第２メモリ領域１６ｂを備える。第１メモリ領域１６ａは、通常時の撮影を行うための撮影条件が記憶される。通常時の撮影条件は、複数記憶可能となっている。第２メモリ領域１６ｂには、緊急時の撮影を行うための撮影条件が記憶される。撮影条件は、撮影モード、シャッター速度、絞り値、画像サイズ、ストロボ発光の有無等である。ユーザはこれらの撮影条件を、設定部８より事前に設定することができる。
【００１９】
次に、カメラ１の動作を説明する。図４は本実施形態のカメラの動作を示すフローチャートである。まず、電源スイッチ６をＯＮすることにより、通常撮影ボタン１０及び緊急撮影ボタン１１が作動可能となる（ステップＳ１１）。なお、緊急撮影ボタン１１に対しては、電源スイッチ６をＯＮしなくても作動可能状態とすることもできる。この場合、緊急撮影ボタン１１に対しては、押下操作が常時可能となる。犯罪や事故等の緊急時、緊急撮影ボタン１１が押下されて緊急撮影が行われる（ステップ１２）。緊急撮影ボタン１１の押下によって第２メモリ領域１６ｂに設定されている緊急撮影モードの撮影条件が読み込まれる（ステップＳ１３）。
【００２０】
なお、例えば絞り優先での通常撮影の場合、絞り値に対してシャッター速度が対応しきれないとき場合、シャッターが作動しないことが考えられるが、緊急撮影ボタン１１が押下されたときは、可能な限り理想に近いシャッター速度で撮影が行われるようにすることもできる。
【００２１】
第２メモリ領域１６ｂに設定されている撮影条件に基づいて撮影が行われる（ステップＳ１４）。次いで、撮影された画像データが記録手段１８に記録される（ステップＳ１５）。
【００２２】
一方、撮影された画像データは、記録手段１８に記録されるのと同時に、ＣＰＵ１５で小さなサイズに圧縮処理され、予め設定された送信先に通信手段１９によって送信される（ステップＳ１６）。このように小さなサイズで送信することにより、リアルタイムに近い短時間での送信が可能となる。なお、画像データの送信の際にカメラの位置データも送信することができる。
【００２３】
画像データの送信の後、ＣＰＵ１５は記録手段１８から画像データを消去し（ステップＳ１７）、緊急撮影の作動を終了する。
【００２４】
以上、第１実施形態によると、以下の効果を奏する。
（１）緊急撮影ボタン１１への操作によって緊急撮影条件による撮影が通常撮影条件にかかわらず優先して行われる。従って、緊急時における適切な撮影を迅速に行うことができる。
（２）起こりうる緊急事態に適応するように緊急撮影条件を設定可能であるため、緊急時の撮影であっても、良好な状態で撮影を行うことができる。そして、良好な画像データを送信することができるため、後の画像分析等も有利となる。従って、例えば、犯罪時に撮影した状況写真等を必要十分な画質で送信でき、しかも送信した画像を鮮明に解析することができる。
（３）緊急撮影した画像データを通信手段１９によって自動的に送信するため、撮影した警備員等が別途に通報する必要がない。このため、撮影後に危険な場合には、カメラ１を放置してその場所から移動することが可能である。この移動に際しても、画像データが送信済であるため、画像データを送信先で確保することができる。
【００２５】
（第２実施形態）
図５は本発明の第２実施形態を示したカメラ２１の概略斜視図である。図中、第１実施形態と同一の部分の説明は省略する。図示するように、カメラ２１には、ストラップ３２が取り付けられるようになっている。
【００２６】
ストラップ３２を取り付けるため、カメラ本体２２には、固定具３３が設けられている。固定具３３は、カメラ本体２２の上面における通常撮影ボタン３０の外側に隣接して設けられている。固定具３３は、通常撮影ボタン３０の外側以外の、例えばカメラ本体２２の側面に設けてもよい。固定具３３は、ストラップ３２が着脱自在に取り付けられる取付リング３３ａと、取付リング３３ａを引き抜き可能な状態で固定するための支持ブラケット３３ｂとを備えている。
【００２７】
図示を省略するが、取付リング３３ａの下部は、カメラ本体２の内部に延びており、カメラ本体２の内部に設けた緊急撮影スイッチ（図示省略）に連結されている。緊急撮影スイッチは、取付リング３３ａの下部が接触や係合することによってスイッチ接点が離反したＯＦＦ状態となっている。このスイッチ接点は、取付リング３３ａが除去されたときに投入される。そして、スイッチ接点の投入により緊急撮影が自動的に行われる。緊急撮影に対しては、第１実施形態と同様に緊急撮影条件が設定されており、緊急撮影スイッチがＯＮとなると、緊急撮影条件に基づいた撮影が通常撮影条件よりも優先して行われる。撮影された画像は、小さなサイズの画像データに圧縮された後、通信手段１９によって自動送信される。そして、自動送信した後、その画像データは消去される。
【００２８】
本実施形態においては、ストラップ３２を固定具３３の取付リング３３ａに装着する。ストラップ３２を取り付けることにより、カメラ３１を安全に持ち運ぶことができる。緊急時には、ストラップ３２を引っ張り、ストラップ３２と共に取付リング３３ａを支持ブラケット３３ｂから引き抜く。取付リング３３ａの引き抜きにより、緊急撮影ボタン１１のスイッチ接点が投入されてＯＮとなり、緊急撮影及び撮影した画像データの自動送信が行われる。
【００２９】
以上、第２実施形態によると、第１実施形態の効果に加え、以下の効果を奏する。
（１）緊急撮影がストラップ３２（取付リング３３ａ）の引き抜きによってなされるため、緊急撮影を行うための緊急撮影ボタンをカメラ本体２２に設ける必要がない。このため、カメラ３１の外観が簡潔となり、デザインが向上する。
【００３０】
（変形形態）
以上、説明した実施形態に限定されることなく、以下の示すような種々の変形や変更が可能であり、それらも本発明の範囲内である。
（１）第１実施形態の緊急撮影ボタン１１を通常撮影ボタン１０と異なった色にしてもよい。例えば、黄色等に着色することにより、通常撮影ボタン１０の差別化を行うと共に注意喚起を行うことができる。
（２）緊急撮影ボタン１１に蛍光顔料や蓄光顔料を塗布して暗所で目立つようにしてもよい。
（３）第１実施形態では、緊急撮影ボタン１１をカバー１３ａによって覆ったが、カバー１３ａを省いてもよい。
（４）第２実施形態において、ストラップ３２を設けず、緊急撮影ボタン１１自体をカメラ本体２２から引き抜くことにより緊急撮影に移行するようにしてもよい。
（５）緊急撮影においては、シャッター音を小さくするか、シャッター音がでないようにしてもよい。
（６）本実施形態においてデジタルカメラについて説明したが、本発明はこれに限定されず、撮影機能を有しているものであれば、ビデオカメラ、携帯電話、ＰＣであってもよい。
なお、実施形態及び変形形態は、適宜組み合わせて用いることもできるが、詳細な説明は省略する。また、本発明は以上説明した実施形態によって限定されることはない。
【図面の簡単な説明】
【００３１】
【図１】本発明の第１実施形態のカメラを前面側から見た概略斜視図である。
【図２】本発明の第１実施形態のカメラを背面側から見た概略斜視図である。
【図３】本発明の第１実施形態のカメラの構成を示すブロック図である。
【図４】緊急撮影を行う際のフローチャートである。
【図５】本発明の第２実施形態のカメラを示す概略斜視図である。
【符号の説明】
【００３２】
１、２１：カメラ、１０，３０：通常撮影ボタン、１１：緊急撮影ボタン、１５：ＣＰＵ、１９：通信手段、２３：第１メモリ領域１６ｂ：第２メモリ領域、２５：画像データ記憶部、２７：画像データ処理部、３２：ストラップ、３３：固定具
【図１】
2009162866.tif 000003
【図２】
2009162866.tif 000004
【図３】
2009162866.tif 000005
【図４】
2009162866.tif 000006
【図５】
2009162866.tif 000007